(57)【要約】【課題】生成した動作電圧のレベルが安定しない場合は、メモリへのデータ書込みを待機することにより、常に正常なデータ書込みを実現可能な非接触式ＩＣカードを提供する。【解決手段】バッテリレス式の非接触式ＩＣカード（いわゆる無線カード）において、受信した電力波により生成された動作電圧のレベルを監視することにより、不揮発性メモリに対するデータ書込みに適した場合に書込みを行ない、データ書込み後も動作電圧のレベルを監視することにより、不揮発性メモリに対するデータ書込み動作が正常に終了したことを認識する。【選択図】    図３
2004206408.tif 000002
【特許請求の範囲】
【請求項１】
外部装置から送信される電力波を受信し、この受信した電力波により動作電圧を生成して動作し、外部装置との間で無線による通信を行なうことにより、少なくともメモリに対するデータの書込みあるいは読出しなどを行なう非接触式ＩＣカードにおいて、
前記受信した電力波により生成された動作電圧のレベルを検出する電圧検出手段と、
前記メモリに対するデータの書込時、前記電圧検出手段により検出された電圧レベルが前記メモリに正常書込みできるレベルか否かをチェックする書込前電圧チェック手段と、
この書込前電圧チェック手段のチェックの結果、前記電圧検出手段により検出された電圧レベルが前記メモリに正常書込みできるレベルにある場合、前記メモリに対するデータの書込みを実行させる第１の制御手段と、
前記メモリに対するデータの書込みが終了した後、再度、前記電圧検出手段により検出された電圧レベルが前記メモリに正常書込みできるレベルか否かをチェックする書込後電圧チェック手段と、
この書込後電圧チェック手段のチェックの結果、前記電圧検出手段により検出された電圧レベルが前記メモリに正常書込みできるレベルにある場合、当該書込み処理は正常に終了したものと認識し、当該書込み処理を終了する第２の制御手段と、
前記書込前電圧チェック手段あるいは前記書込後電圧チェック手段のチェックの結果、前記電圧検出手段により検出された電圧レベルが前記メモリに正常書込みできるレベルにない場合、あらかじめ定められた所定時間待機した後、前記書込前電圧チェック手段による書込前電圧レベルチェックから再度処理を行なわせる第３の制御手段と、
を具備したことを特徴とする非接触式ＩＣカード。
【請求項２】
前記第３の制御手段により前記書込前電圧チェック手段による書込前電圧レベルチェックから再度処理を行なっても、前記電圧検出手段により検出された電圧レベルが前記メモリに正常書込みできるレベルにない場合、当該書込み処理は異常であると認識し、当該書込み処理を終了する第４の制御手段をさらに具備したことを特徴とする請求項１記載の非接触式ＩＣカード。
【請求項３】
書換え可能な不揮発性メモリと、
外部装置との間で無線による通信を行なうためのアンテナと、
このアンテナを介して外部装置との間で無線による通信を行なうことにより、少なくとも前記不揮発性メモリに対するデータの書込みあるいは読出しなどを行なうデータ処理手段と、
外部装置から送信される電力波を前記アンテナを介して受信し、この受信した電力波により動作電圧を生成して前記不揮発性メモリおよび前記データ処理手段に対し動作電源として供給する電源生成手段と、
この電源生成手段により生成された動作電圧のレベルを検出する電圧検出手段と、
前記不揮発性メモリに対するデータの書込時、前記電圧検出手段により検出された電圧レベルが前記不揮発性メモリに正常書込みできるレベルか否かをチェックする書込前電圧チェック手段と、
この書込前電圧チェック手段のチェックの結果、前記電圧検出手段により検出された電圧レベルが前記不揮発性メモリに正常書込みできるレベルにある場合、前記不揮発性メモリに対するデータの書込みを実行させる第１の制御手段と、
前記不揮発性メモリに対するデータの書込みが終了した後、再度、前記電圧検出手段により検出された電圧レベルが前記不揮発性メモリに正常書込みできるレベルか否かをチェックする書込後電圧チェック手段と、
この書込後電圧チェック手段のチェックの結果、前記電圧検出手段により検出された電圧レベルが前記不揮発性メモリに正常書込みできるレベルにある場合、当該書込み処理は正常に終了したものと認識し、当該書込み処理を終了する第２の制御手段と、
前記書込前電圧チェック手段あるいは前記書込後電圧チェック手段のチェックの結果、前記電圧検出手段により検出された電圧レベルが前記不揮発性メモリに正常書込みできるレベルにない場合、あらかじめ定められた所定時間待機した後、前記書込前電圧チェック手段による書込前電圧レベルチェックから再度処理を行なわせる第３の制御手段と、
を具備したことを特徴とする非接触式ＩＣカード。
【請求項４】
前記第３の制御手段により前記書込前電圧チェック手段による書込前電圧レベルチェックから再度処理を行なっても、前記電圧検出手段により検出された電圧レベルが前記不揮発性メモリに正常書込みできるレベルにない場合、当該書込み処理は異常であると認識し、当該書込み処理を終了する第４の制御手段をさらに具備したことを特徴とする請求項３記載の非接触式ＩＣカード。
【請求項５】
前記待機する所定時間は任意に可変設定できることを特徴とする請求項１または請求項３記載の非接触式ＩＣカード。
【請求項６】
前記第３の制御手段により行なう再度の処理はあらかじめ設定される複数回繰り返し行なうことを特徴とする請求項１、請求項２、請求項３、請求項４のいずれか１つに記載の非接触式ＩＣカード。
【発明の詳細な説明】
【０００１】
【発明の属する技術分野】
本発明は、たとえば、入退場管理装置における個人認証媒体や住民基本台帳カードなどとして用いられ、カードリーダ・ライタから送信される電力波を受信し、この受信した電力波により動作電圧を生成して動作し、カードリーダ・ライタとの間で無線による通信を行なうことにより、書換え可能な不揮発性メモリに対するデータの書込みあるいは読出しなどを行なうバッテリレス式の非接触式ＩＣカードに関する。
【０００２】
【従来の技術】
最近、たとえば、入退場管理装置における個人認証媒体として、いわゆる無線カードと称される非接触式ＩＣカードが用いられる場合がある。その場合、個人の身体的特徴情報などを記録した非接触式ＩＣカードを入退場者に配布し、部屋の入口に設置したカードリーダ・ライタとの間で無線で通信を行なうことにより、身体的特徴情報の照合を行ない、入口のドアを開閉制御するものである。
【０００３】
このような無線カードと称される非接触式ＩＣカードは、バッテリ交換作業の削除、小形化、低コスト化、長寿命化などからバッテリレス式のものが主流となっている。
そこで、最近の非接触式ＩＣカードでは、カードリーダ・ライタから送信される電力波を受信し、この受信した電力波により動作電圧を生成して各部へ動作電源として供給することにより動作するようになっている。
【０００４】
ところで、この種の非接触式ＩＣカードにおいて、たとえば、カードリーダ・ライタから送信される書込み命令に基づき、不揮発性メモリに対しデータを格納する（書込む）場合、与えられた書込むべきデータを１回だけ不揮発性メモリに書き込む、という方法が用いられている。
【０００５】
【発明が解決しようとする課題】
しかし、上記した従来の方法では、非接触式ＩＣカードがどのような状況にあっても、不揮発性メモリに対しデータの書込みにいくが、この種の非接触式ＩＣカードでは、受信電波の状態によりカード内の電源供給が著しく不安定な場合があり、１回の書込みでは、書込みを失敗した場合にデータが蓄積できないままとなる不具合が生じてしまう。
【０００６】
そこで、本発明は、生成した動作電圧のレベルが安定しない場合は、メモリへのデータ書込みを待機することにより、常に正常なデータ書込みを実現可能な非接触式ＩＣカードを提供することを目的とする。
【０００７】
【課題を解決するための手段】
本発明の非接触式ＩＣカードは、外部装置から送信される電力波を受信し、この受信した電力波により動作電圧を生成して動作し、外部装置との間で無線による通信を行なうことにより、少なくともメモリに対するデータの書込みあるいは読出しなどを行なう非接触式ＩＣカードにおいて、前記受信した電力波により生成された動作電圧のレベルを検出する電圧検出手段と、前記メモリに対するデータの書込時、前記電圧検出手段により検出された電圧レベルが前記メモリに正常書込みできるレベルか否かをチェックする書込前電圧チェック手段と、この書込前電圧チェック手段のチェックの結果、前記電圧検出手段により検出された電圧レベルが前記メモリに正常書込みできるレベルにある場合、前記メモリに対するデータの書込みを実行させる第１の制御手段と、前記メモリに対するデータの書込みが終了した後、再度、前記電圧検出手段により検出された電圧レベルが前記メモリに正常書込みできるレベルか否かをチェックする書込後電圧チェック手段と、この書込後電圧チェック手段のチェックの結果、前記電圧検出手段により検出された電圧レベルが前記メモリに正常書込みできるレベルにある場合、当該書込み処理は正常に終了したものと認識し、当該書込み処理を終了する第２の制御手段と、前記書込前電圧チェック手段あるいは前記書込後電圧チェック手段のチェックの結果、前記電圧検出手段により検出された電圧レベルが前記メモリに正常書込みできるレベルにない場合、あらかじめ定められた所定時間待機した後、前記書込前電圧チェック手段による書込前電圧レベルチェックから再度処理を行なわせる第３の制御手段とを具備している。
【０００８】
また、本発明の非接触式ＩＣカードは、書換え可能な不揮発性メモリと、外部装置との間で無線による通信を行なうためのアンテナと、このアンテナを介して外部装置との間で無線による通信を行なうことにより、少なくとも前記不揮発性メモリに対するデータの書込みあるいは読出しなどを行なうデータ処理手段と、外部装置から送信される電力波を前記アンテナを介して受信し、この受信した電力波により動作電圧を生成して前記不揮発性メモリおよび前記データ処理手段に対し動作電源として供給する電源生成手段と、この電源生成手段により生成された動作電圧のレベルを検出する電圧検出手段と、前記不揮発性メモリに対するデータの書込時、前記電圧検出手段により検出された電圧レベルが前記不揮発性メモリに正常書込みできるレベルか否かをチェックする書込前電圧チェック手段と、この書込前電圧チェック手段のチェックの結果、前記電圧検出手段により検出された電圧レベルが前記不揮発性メモリに正常書込みできるレベルにある場合、前記不揮発性メモリに対するデータの書込みを実行させる第１の制御手段と、前記不揮発性メモリに対するデータの書込みが終了した後、再度、前記電圧検出手段により検出された電圧レベルが前記不揮発性メモリに正常書込みできるレベルか否かをチェックする書込後電圧チェック手段と、この書込後電圧チェック手段のチェックの結果、前記電圧検出手段により検出された電圧レベルが前記不揮発性メモリに正常書込みできるレベルにある場合、当該書込み処理は正常に終了したものと認識し、当該書込み処理を終了する第２の制御手段と、前記書込前電圧チェック手段あるいは前記書込後電圧チェック手段のチェックの結果、前記電圧検出手段により検出された電圧レベルが前記不揮発性メモリに正常書込みできるレベルにない場合、あらかじめ定められた所定時間待機した後、前記書込前電圧チェック手段による書込前電圧レベルチェックから再度処理を行なわせる第３の制御手段とを具備している。
【０００９】
【発明の実施の形態】
以下、本発明の実施の形態について図面を参照して説明する。
図１は、本実施の形態に係る非接触式ＩＣカードを取扱う非接触式ＩＣカードシステムの構成例を示すものである。この非接触式ＩＣカードシステムは、非接触式ＩＣカード１１を無線式のカードリーダ・ライタ１２を介してパーソナルコンピュータなどの端末装置１３と接続可能にするとともに、端末装置１３にキーボード１４、ＣＲＴ表示部１６、プリンタ１６を接続して構成される。
【００１０】
図２は、非接触式ＩＣカード１１の構成を示すもので、カードリーダ・ライタ１２との間でデータを送受信するための送受信アンテナ１０１、送信データを変調したり、受信データを復調したりする変復調部１０２、各種データ処理や全体的な制御を行なう制御手段としてのＣＰＵ（セントラル・プロセッシング・ユニット）１０３、プログラムメモリ１０４、ワーキングメモリ１０５、記憶手段としてのデータメモリ１０６、送受信アンテナ１０１で受信したカードリーダ・ライタ１２からの電力波を整流回路にて整流、平滑することにより安定化された直流電圧を生成して各部に動作電圧として供給する電源生成手段としての電源生成部１０７、および、電源生成部１０７で生成された動作電圧のレベルを検出する電圧検出手段としての電圧検出部１０８から構成されている。
【００１１】
なお、送受信アンテナ１０１を除く他の各部１０２〜１８は、１つ（あるいは、複数）のＩＣチップで構成されて、送受信アンテナ１０１とともにカード本体内に埋設されている。
【００１２】
プログラムメモリ１０４は、たとえば、マスクＲＯＭなどの記憶内容が書換え不可能な不揮発性メモリで構成されており、ＣＰＵ１０３の制御プログラムなどが格納（記憶）されている。
ワーキングメモリ１０５は、ＣＰＵ１０３が処理を行なう際の処理データなどを一時的に保持するための作業用メモリであり、たとえば、ＲＡＭなどで構成される。
データメモリ１０６は、各種データの格納（記憶）に使用され、たとえば、ＥＥＰＲＯＭなどの記憶内容が書換え可能な不揮発性メモリで構成されている。
【００１３】
次に、このような構成において、データメモリ１０６に対するデータの書込動作について図３に示すフローチャートを参照して説明する。
たとえば、今、カードリーダ・ライタ１２から送信される書込み命令を受信すると（ステップＳ１）、ＣＰＵ１０３は、その書込み命令に付加された書込みデータをワーキングメモリ１０５に一時格納する（ステップＳ２）。
【００１４】
次に、ＣＰＵ１０３は、書込み再処理実行回数ｘ，ｙをそれぞれ設定し（ステップＳ３）、その後、電圧検出部１０８の検出結果を参照することにより、電源生成部１０７で生成された動作電圧のレベルがデータメモリ１０６に対し正常書込みできるレベルか否かをチェックする（ステップＳ４）。ここに、このステップＳ４の処理が本発明における書込前電圧チェック手段に対応している。
【００１５】
次に、ＣＰＵ１０３は、ステップＳ４のチェックの結果、電源生成部１０７で生成された動作電圧のレベルがデータメモリ１０６に対し正常書込みできるレベルにある場合、ワーキングメモリ１０５に一時格納されている書込みデータをデータメモリ１０６に書込む処理を実行する（ステップＳ５）。
【００１６】
次に、ＣＰＵ１０３は、ステップＳ５の書込み処理を終了すると、再び、電圧検出部１０８の検出結果を参照することにより、電源生成部１０７で生成された動作電圧のレベルがデータメモリ１０６に対し正常書込みできるレベルか否かをチェックする（ステップＳ６）。ここに、このステップＳ６の処理が本発明における書込後電圧チェック手段に対応している。
【００１７】
次に、ＣＰＵ１０３は、ステップＳ６のチェックの結果、電源生成部１０７で生成された動作電圧のレベルがデータメモリ１０６に対し正常書込みできるレベルにある場合、当該書込み処理は正常に終了したものと認識し、当該書込み処理を終了する（ステップＳ７）。
【００１８】
ステップＳ４のチェックの結果、電源生成部１０７で生成された動作電圧のレベルがデータメモリ１０６に対し正常書込みできるレベルにない場合、ＣＰＵ１０３は、あらかじめ定められた所定時間ｍ待機し（ステップＳ８）、その後、先に設定した書込み再処理実行回数ｘを「−１」する（ステップＳ９）。
【００１９】
次に、ＣＰＵ１０３は、書込み再処理実行回数ｘが「０」か否かをチェックし（ステップＳ１０）、「０」でなければステップＳ４に戻って、書込前電圧レベルチェックから再度処理を行なう。ステップＳ１０のチェックの結果、書込み再処理実行回数ｘが「０」であれば、ＣＰＵ１０３は、当該書込み処理は異常であると認識し、当該書込み処理を終了する（ステップＳ）。
【００２０】
また、ステップＳ６のチェックの結果、電源生成部１０７で生成された動作電圧のレベルがデータメモリ１０６に対し正常書込みできるレベルにない場合、ＣＰＵ１０３は、あらかじめ定められた所定時間ｎ待機し（ステップＳ１２）、その後、先に設定した書込み再処理実行回数ｙを「−１」する（ステップＳ１３）。
【００２１】
次に、ＣＰＵ１０３は、書込み再処理実行回数ｙが「０」か否かをチェックし（ステップＳ１４）、「０」でなければステップＳ４に戻って、書込前電圧レベルチェックから再度処理を行なう。ステップＳ１４のチェックの結果、書込み再処理実行回数ｙが「０」であれば、ＣＰＵ１０３は、当該書込み処理は異常であると認識し、当該書込み処理を終了する（ステップＳ１１）。
【００２２】
このように、データをワーキングメモリ１０５からデータメモリ１０６に書込む（記憶させる）際の動作として、書込み前に動作電圧のレベルをチェックし、正常ならデータをデータメモリ１０６に書込む。その後、再度、動作電圧のレベルをチェックし、正常なら書込み動作も正常に終了したものと認識して、当該書込み処理を終了させる。
【００２３】
書込み前の動作電圧のレベルチェックで、電圧レベルが足りない場合は、一定時間（ｍ）待機した後、書込み動作の最初に戻り、書込前電圧レベルチェックから再度処理を行なう。
書込み後の動作電圧のレベルチェックで、電圧レベルが足りない場合も、一定時間（ｎ）待機した後、書込み動作の最初に戻り、書込前電圧レベルチェックから再度処理を行なう。
【００２４】
なお、書込み前の電圧のレベルチェックで、電圧レベルが足りない場合の待機時間ｍと、再処理実行回数ｘ、および、書込み後の動作電圧のレベルチェックで、電圧レベルが足りない場合の待機時間ｎと、再処理実行回数ｙは、それぞれデータメモリ１０６内の特定エリアに格納しておき、任意に変更設定できるものとする。
【００２５】
以上説明したように、上記実施の形態によれば、無線カードと称される非接触式ＩＣカードにおいて、カードリーダ・ライタ１２からの電力波により生成した動作電圧のレベルが安定しない場合は、データメモリ１０６へのデータ書込みを待機することにより、常に正常なデータ書込みを実現するものである。
【００２６】
【発明の効果】
以上詳述したように本発明によれば、生成した動作電圧のレベルが安定しない場合は、メモリへのデータ書込みを待機することにより、常に正常なデータ書込みを実現可能な非接触式ＩＣカードを提供できる。
【図面の簡単な説明】
【図１】本発明の実施の形態に係る非接触式ＩＣカードを取扱う非接触式ＩＣカードシステムの構成例を示すブロック図。
【図２】本発明の実施の形態に係る非接触式ＩＣカードの構成を概略的に示すブロック図。
【図３】本発明の実施の形態に係るデータメモリに対するデータの書込動作について説明するフローチャート。
【符号の説明】
１１…非接触式ＩＣカード、１２…カードリーダ・ライタ、１０１…送受信アンテナ、１０２…変復調部、１０３…ＣＰＵ（制御手段、データ処理手段、電圧チェック手段）、１０４…プログラムメモリ、１０５…ワーキングメモリ、１０６…データメモリ（不揮発性メモリ）、１０７…電源生成部（電源生成手段）、１０８…電圧検出部（電圧検出手段）。
【図１】
2004206408.tif 000003
【図２】
2004206408.tif 000004
【図３】
2004206408.tif 000005